(57)【要約】【課題】１本の電気浮きでありながら複数の発光色を有し、その中から３色発光ダイオードの発光色を変更することで、隣人の電気浮きとの見間違いを原因とした釣果の低下を防止可能な電気浮きを提供する。【解決手段】第１の電池差し込みポケットにメイン電池を差し込み、第２〜第４の電池差し込みポケットの何れかにサブ電池を差し込む。これにより発光回路を使用し、３色発光ダイオードを赤色、緑色、青色、もしくは三原色を組み合わせた任意の色に発光できる。その結果、１本の電気浮きでありながら、隣人の電気浮きの発光色と異なる色に変更することで、夜釣りでも一見して自他の電気浮きを判別できる。よって自他の電気浮きを見分けられず、アタリがあっても隣人の浮きと勘違いし、竿を引き上げるタイミングを逃すことを原因とした釣果の低下を防止できる。【選択図】図１
2014079190.tif 000002
【特許請求の範囲】
【請求項１】
上端部に透明または半透明な発光体カバー部を有した防水ケーシングと、
該防水ケーシングに収納され、かつメイン電池が差し込まれる第１の電池差し込みポケット、および、サブ電池が差し込まれる第２〜第４の電池差し込みポケットが配設された電池保持部と、
該電池保持部に電気的に接続され、かつ前記発光体カバー部に収納される３色発光ダイオードと、
該３色発光ダイオードの発光回路とを備えた電気浮きであって、
前記第２の電池差し込みポケットは、前記サブ電池が差し込まれることで、前記３色発光ダイオードの一部を構成する赤色発光ダイオード部分を発光させるためのポケットで、
前記第３の電池差し込みポケットは、前記サブ電池が差し込まれることで、前記３色発光ダイオードの一部を構成する緑色発光ダイオード部分を発光させるためのポケットで、
前記第４の電池差し込みポケットは、前記サブ電池が差し込まれることで、前記３色発光ダイオードの一部を構成する青色発光ダイオード部分を発光させるためのポケットであり、
前記第１の電池差し込みポケットに前記メイン電池を差し込むとともに、前記第２〜第４の電池差し込みポケットの少なくとも１つに前記サブ電池を差し込むことによって、前記発光回路を利用して前記３色発光ダイオードを所定の色に発光させる電気浮き。
【請求項２】
前記メイン電池および前記サブ電池は、それぞれピン型リチウム電池で、
前記電池保持部は、前記３色発光ダオードが上端面に電気的に接続された円柱体で、
前記第１の電池差し込みポケットおよび前記第２〜第４の電池差し込みポケットは、前記電池保持部の下端面から該電池保持部の内部に向かって平行に離間して形成され、
前記電池保持部の下端面のうち、前記第２の電池差し込みポケットの形成部付近には赤色識別表示部が設けられ、
前記電池保持部の下端面のうち、前記第３の電池差し込みポケットの形成部付近には緑色識別表示部が設けられ、
前記電池保持部の下端面のうち、前記第４の電池差し込みポケットの形成部付近には青色識別表示部が設けられた請求項１に記載の電気浮き。
【発明の詳細な説明】
【技術分野】
【０００１】
この発明は電気浮き、詳しくは夜釣りで利用される電気浮きに関する。
【背景技術】
【０００２】
魚が餌に口をつけるアタリ（魚信）を感知し、釣人に釣糸を引くアワセのタイミングを視覚的に知らせる釣り装備の１つとして、浮きが存在する。そのうちの夜釣り用の浮きとして、近年、防水ケーシングの内部空間に、１個の単色の発光ダイオード（ＬＥＤ：ｌｉｇｈｔ  ｅｍｉｔｔｉｎｇ  ｄｉｏｄｅ）と、その電源であるピン型リチウム電池とを電池保持部に装着して収納した電気浮きが開発されている（例えば特許文献１の「電気うき」の従来の技術欄参照）。電池保持部は、プラスチックからなる短尺な円柱体で、その上端面に発光ダイオードが固定され、その内部に電池保持部の軸線方向に沿って２つの電池差し込みポケットが平行に形成されている。
【特許文献１】特開２００２−１１２６８５号公報
【発明の概要】
【発明が解決しようとする課題】
【０００３】
しかしながら、特許文献１の従来の技術の欄に記載された「電気うき」は、１個の単色（例えば赤色）の発光ダイオードを点灯させるものであった。そのため、同じ釣場で多数の釣人が同時に電気浮きを使用した場合、発光ダイオードの発光色が隣人のものと同一となり、暗い海面上では自他の電気浮きの見分けがつかず、せっかくアタリがあっても、その浮き沈みする方を隣人の浮きと勘違いし、釣り上げるタイミングを逃すことが頻繁にあった。
【０００４】
そこで、この発明者は、鋭意研究の結果、発光ダイオードとして赤（Ｒｅｄ）、緑（Ｇｒｅｅｎ）、青（Ｂｌｕｅ）に発光する３色発光ダイオード(フルカラーＬＥＤ)を使用し、隣人の電気浮きの発光色と異なる色に発光させるようにすれば、一見して隣人の電気浮きとの判別ができ、上述した問題はすべて解消されることを知見し、この発明を完成させた。
【０００５】
すなわち、この発明は、１本の電気浮きでありながら複数の発光色を有し、その中から隣人の電気浮きと異なる発光色を選択して発光させることができ、これにより、隣人の電気浮きとの見間違いを原因とした釣果の低下を防止することができる電気浮きを提供することを目的としている。
【課題を解決するための手段】
【０００６】
請求項１に記載の発明は、上端部に透明または半透明な発光体カバー部を有した防水ケーシングと、該防水ケーシングに収納され、かつメイン電池が差し込まれる第１の電池差し込みポケット、および、サブ電池が差し込まれる第２〜第４の電池差し込みポケットが配設された電池保持部と、該電池保持部に電気的に接続され、かつ前記発光体カバー部に収納される３色発光ダイオードと、該３色発光ダイオードの発光回路とを備えた電気浮きであって、前記第２の電池差し込みポケットは、前記サブ電池が差し込まれることで、前記３色発光ダイオードの一部を構成する赤色発光ダイオード部分を発光させるためのポケットで、前記第３の電池差し込みポケットは、前記サブ電池が差し込まれることで、前記３色発光ダイオードの一部を構成する緑色発光ダイオード部分を発光させるためのポケットで、前記第４の電池差し込みポケットは、前記サブ電池が差し込まれることで、前記３色発光ダイオードの一部を構成する青色発光ダイオード部分を発光させるためのポケットであり、前記第１の電池差し込みポケットに前記メイン電池を差し込むとともに、前記第２〜第４の電池差し込みポケットの少なくとも１つに前記サブ電池を差し込むことによって、前記発光回路を利用して前記３色発光ダイオードを所定の色に発光させる電気浮きである。
【０００７】
電気浮きの外観（防水ケーシングの形状）は、例えば棒浮き、円錐浮きの何れでもよい。また、自立浮き、中通し浮き、環付き浮きの何れでもよい。
防水ケーシングとは、水密性の浮きの外殻である。その素材としては、例えば各種のプラスチックを採用することができる。防水ケーシングは、例えば上ケースおよび下ケースの２分割方式のもの、上ケース、中央ケースおよび下ケースの３分割方式のものなどを採用することができる。防水ケーシングの分割部分には防水シールを配置して、防水性を高めた方が望ましい。
発光体カバー部は、有色の透明素材または無色の透明素材から製造されても、有色の半透明素材または無色の半透明素材から製造されてもよい。
【０００８】
メイン電池とは、電池の容量を増大させる電池である。
また、サブ電池とは、３色発光ダイオードの赤色、緑色、青色の各ダイオード部分を実質的に発光させるための電池である。サブ電池の使用本数は、１本でも２本でも３本でもよい。
メイン電池およびサブ電池としては、例えば、電気浮き用として汎用されるピン型リチウム電池を採用することができる。その他、例えばマンガン電池、アルカリ電池、ニッケル電池、ニッケル・カドニウム電池でもよい。また、メイン電池とサブ電池とは、同一の電池でも、異なる種類の電池でもよい。
【０００９】
電池保持部の素材としては、例えば各種のプラスチックなどを採用することができる。また、電池保持部の形状は限定されない。例えば、円柱形状などでもよい。
第１〜第４の電池差し込みポケットの形状は、第１の電池差し込みポケットにメイン電池が、また第２〜第４の電池差し込みポケットにサブ電池がそれぞれ差し込める形状であれば任意である。電池保持部における第１〜第４の電池差し込みポケットの形成位置は任意である。例えば、電池保持部が円柱体の場合において、その外周面でも、一端面（下面）でもよい。
ここでいう３色発光ダイオードとは、赤（Ｒｅｄ）色の発光ダイオード部分と、緑（Ｇｒｅｅｎ）の発光ダイオード部分と、青（Ｂｌｕｅ）の発光ダイオード部分とを樹脂によりモールドして、パッケージ化したものである。３色発光ダイオードは、赤色、緑色、青色に単独発光する他、これらのダイオードを所定の組み合わせで同時に通電することにより、様々な色に発光させることができる。
【００１０】
請求項２に記載の発明は、前記メイン電池および前記サブ電池は、それぞれピン型リチウム電池で、前記電池保持部は、前記３色発光ダイオードが上端面に電気的に接続された円柱体で、前記第１の電池差し込みポケットおよび前記第２〜第４の電池差し込みポケットは、前記電池保持部の下端面から該電池保持部の内部に向かって平行に離間して形成され、前記電池保持部の下端面のうち、前記第２の電池差し込みポケットの形成部付近には赤色識別表示部が設けられ、前記電池保持部の下端面のうち、前記第３の電池差し込みポケットの形成部付近には緑色識別表示部が設けられ、前記電池保持部の下端面のうち、前記第４の電池差し込みポケットの形成部付近には青色識別表示部が設けられた請求項１に記載の電気浮きである。
赤色、緑色、青色の各識別表示部は、色彩のみによる表示でも、色彩と文字、色彩と数字、色彩と記号、色彩と図形、もしくはこれらの組み合わせでもよい。
【発明の効果】
【００１１】
請求項１に記載の発明によれば、第１の電池差し込みポケットにメイン電池を差し込み、さらに第２〜第４の電池差し込みポケットのうち、少なくとも１つにサブ電池を差し込む。これにより、発光回路を使用し、３色発光ダイオードを赤色、緑色、青色、もしくはこれらの三原色を組み合わせた任意の色に発光させることができる。
その結果、夜釣りにおいて、１本の電気浮きでありながら複数の発光色を有し、その中から隣人が使用する電気浮きの発光色と異なる色に３色発光ダイオードの発光色を変更することで、真夜中の釣場でも、一見して自他の電気浮きを判別することができる。これにより、自他の電気浮きの見分けがつかず、せっかくアタリがあっても、それが隣人の浮きであると勘違いし、竿を引き上げるタイミングを逃すことを原因とした釣果の低下を防止することができる。
【００１２】
特に、請求項２に記載の発明によれば、３色発光ダイオードを所望の色に発光させるときには、まず電池保持部の端面を見て、色彩による識別表示がない（第１の）電池差し込みポケットに、ピン型リチウム電池であるメイン電池を差し込む。しかも、赤色、緑色、青色の各識別表示部が近傍に配設された（第２〜第４の）電池差し込みポケットに、ピン型リチウム電池であるサブ電池を差し込む。このように構成したため、電池保持部の端面に表示された赤色識別表示部、緑色識別表示部、青色識別表示部を一見しただけで、３色発光ダイオードを所望の色に発光させるときに必要な、第１〜第４の電池差し込みポケットを見分けることができる。
【図面の簡単な説明】
【００１３】
【図１】この発明の実施例１に係る電気浮きの縦断面図である。
【図２】この発明の実施例１に係る電気浮きの一部を構成し、メイン電池およびサブ電池が差し込まれた電池保持部の拡大斜視図である。
【図３】この発明の実施例１に係る電気浮きの一部を構成する電池保持部の拡大底面図である。
【図４】この発明の実施例１に係る電気浮き一部を構成する３色発光ダイオードの赤色発光ダイオード部分の発光回路の回路図である。
【図５】この発明の実施例１に係る電気浮き一部を構成する３色発光ダイオードの青色発光ダイオード部分の発光回路の回路図である。
【図６】この発明の実施例１に係る電気浮き一部を構成する３色発光ダイオードの緑色発光ダイオード部分の発光回路の回路図である。
【図７】（ａ）は、この発明の実施例１に係る電気浮き一部を構成する電池保持部の負極用プリント配線基板の平面図である。（ｂ）は、この発明の実施例１に係る電気浮き一部を構成する電池保持部の正極用プリント配線基板の平面図である。
【図８】この発明の実施例１に係る電気浮きにおいて、（ａ）は３色発光ダイオードを赤色に発光させる電池配置を示す電池保持部の底面図、（ｂ）は３色発光ダイオードを緑色に発光させる電池配置を示す電池保持部の底面図、（ｃ）は３色発光ダイオードを青色に発光させる電池配置を示す電池保持部の底面図、（ｄ）は３色発光ダイオードをピンク色に発光させる電池配置を示す電池保持部の底面図、（ｅ）は３色発光ダイオードを黄色に発光させる電池配置を示す電池保持部の底面図、（ｆ）は３色発光ダイオードを水色に発光させる電池配置を示す電池保持部の底面図である。
【発明を実施するための形態】
【００１４】
以下、この発明の実施例を具体的に説明する。ここでは、海釣り用の自立浮きを例とする。
【実施例】
【００１５】
図１〜図６において、１０はこの発明の実施例１に係る棒状の自立式の電気浮きで、この電気浮き１０は、上端部に半透明な乳白色の発光体カバー部１１を有した防水ケーシング１２と、防水ケーシング１２に収納され、かつメイン電池１３が差し込まれる第１の電池差し込みポケットＰ１、および、サブ電池１４が差し込まれる第２〜第４の電池差し込みポケットＰ２〜Ｐ４が配設された電池保持部１５と、電池保持部１５に電気的に接続され、かつ発光体カバー部１１に収納される３色発光ダイオード１６と、３色発光ダイオード１６の発光回路１７とを備えたものである。
【００１６】
以下、これらの構成部品を具体的に説明する。
図１に示すように、発光体カバー部１１は、先端が丸く封止されて、下端面が開口されたＡＢＳ樹脂などのプラスチックからなる中空ピンである。発光体カバー部１１は、防水ケーシング１２の後述する上ケース１８の頂上部に形成されたカバー部挿入孔１８ａに、その下端部が水密的に装着されている。発光体カバー部１１の下部空間が、３色発光ダイオード１６の挿入領域となり、３色発光ダイオード１６は後述する負極用プリント配線基板２４に電気的に接続されて、電池保持部１５に固定されている。
防水ケーシング１２は電気浮きの外殻で、何れもＡＢＳ樹脂などのプラスチックからなる上ケース１８と下ケース１９とから構成されている。上ケース１８はその下側開口部の外周面に雄ねじが形成され、その内部には電池保持部１５が固定されている。下ケース１９は、上側開口部の内周面に雌ねじが形成され、上ケース１８の雄ねじにＯリング２０を挟み付けるように螺合されている。下ケース１９の下部には、円柱状の錘Ｗが錘保持筒１９ｂを介して埋め込まれ、下ケース１９の下端部には糸通し孔１９ａが形成されている。
【００１７】
次に、図１〜図３および図７を参照して、電池保持部１５を詳細に説明する。
図１〜図３に示すように、電池保持部１５は、長さ方向を垂直方向に向けた十字柱状の筐体２１を本体としている。筐体２１の中央部の上面には円形状の負極用プリント配線基板２２が固定され（図７（ａ））、筐体２１の上面には、短尺な支柱２３を介して、負極用プリント配線基板２２より小径な正極用プリント配線基板２４が固定されている（図７（ｂ））。すなわち、筐体２１の上部には、下層の負極用プリント配線基板２２と上層の正極用プリント配線基板２４とが離間して平行に配設されている。
【００１８】
また、筐体２１の４つの端部には、筐体２１の長さ方向に延びる４つの穴がその上下端面を貫通して形成されている。このうち、１つの穴が、使用電池全体としての容量を増大させるためのメイン電池１３が差し込まれる第１の電池差し込みポケットＰ１である。また、残り３つの穴が、サブ電池１４が差し込まれる第２〜第４の電池差し込みポケットＰ２〜Ｐ４である。メイン電池１３およびサブ電池１４は、いずれもピン型リチウム電池である。
第２の電池差し込みポケットＰ２は、サブ電池１４が差し込まれることで、３色発光ダイオード１６の一部を構成する赤色発光ダイオード部分Ｒを発光させるためのポケットである。筐体２１の中央部の下端面のうち、第２の電池差し込みポケットＰ２の形成側の部分には三角形の赤色シールからなる赤色識別表示部ｒが貼付されている（図３）。
【００１９】
また、第３の電池差し込みポケットＰ３は、サブ電池１４が差し込まれることで、３色発光ダイオード１６の一部を構成する緑色発光ダイオード部分Ｇを発光させるためのポケットである。筐体２１の中央部の下端面のうち、第３の電池差し込みポケットＰ３の形成側の部分には、三角形の緑色シールからなる緑色識別表示部ｇが貼付されている。さらに、第４の電池差し込みポケットＰ４は、サブ電池１４が差し込まれることで、３色発光ダイオード１６の一部を構成する青色発光ダイオード部分Ｂを発光させるためのポケットである。筐体２１の中央部の下端面のうち、第４の電池差し込みポケットＰ４の形成側の部分（形成部付近）には、三角形の青色シールからなる青色識別表示部ｂが貼付されている。なお、赤色識別表示部ｒ、緑色識別表示部ｇおよび青色識別表示部ｂは、筐体２１の下端面のうち、対応する電池差し込みポットＰ２〜Ｐ４の各形成部分に、三角形状ではなく円環形状または円弧形状に配設してもよい。これにより、各色の識別表示効果を高めることができる。
【００２０】
図７（ａ）に示すように、負極用プリント配線基板２２において、第１〜第４の電池差し込みポケットＰ１〜Ｐ４の形成部の周方向の一部には、先端が正極用プリント配線基板２４のプリント配線（正極部）に半田付けされた縦長なプラス接触片２５がそれぞれ装着されている。各プラス接触片２５は、細い帯状の弾性体（例えばステンレス板）からなる。各プラス接触片２５の下端部には、メイン電池１３またはサブ電池１４の細首の頭部に押し当てられる円弧状の湾曲部が形成されている。
図７（ｂ）に示すように、正極用プリント配線基板２４のうち、第１〜第４の電池差し込みポケットＰ１〜Ｐ４との対峙部分には、メイン電池１３またはサブ電池１４のピン端子（負極）１３ａ，１４ａが挿通される小径なピン挿通孔２６がそれぞれ形成されている。また、正極用プリント配線基板２４の各ピン挿通孔２６の付近には、上端部が対応するピン端子１３ａ，１４ａに押し当てられ、かつ下端部が正極用プリント配線基板２４のプリント配線に半田付けされたマイナス接触小片２７が斜めに突設されている。
【００２１】
図４〜図６に示すように、負極用プリント配線基板２２と正極用プリント配線基板２４とは、所定の回路構成により電気的に接続されて３色発光ダイオード１６の発光回路１７の形成基板となる。メイン電池１３およびサブ電池１４は、対応する第１〜第４の電池差し込みポケットＰ１〜Ｐ４に差し込まれた際、各細首の頭部にプラス接触片２５の円弧状の湾曲部がそれぞれ押し当てられ、かつ各ピン端子１３ａ，１４ａの一側部にマイナス接触小片２７がそれぞれ押し当てられる（図２）。こうして、メイン電池１３およびサブ電池１４は、電池保持部１５の筐体２１にそれぞれ掛止される。
３色発光ダイオード１６は、その赤色発光ダイオード部分Ｒと緑色発光ダイオード部分Ｇと青色発光ダイオード部分Ｂを樹脂によりモールドしてパッケージ化したものである。３色発光ダイオード１６から下方に延びる赤色用負極ピン１６ｒ、青色用負極ピン１６ｇ、青色用負極ピン１６ｂおよび共通正極ピン１６ｃは、正極用プリント配線基板２４の発光回路１７の一部にそれぞれ半田付けされている。
【００２２】
次に、図１〜図８を参照して、実施例１に係る電気浮き１０の使用方法を説明する。
図１および図２に示すように、電気浮き１０を使用した夜釣り時には、まず釣場における隣人の電気浮きの発光ダイオードの発光色を視認し、それと異なる発光色となるように、上ケース１８から下ケース１９を外した後、電池保持部１５の第１の電池差し込みポケットＰ１にメイン電池１３を差し込むとともに、サブ電池１４を第２〜第４の電池差し込みポケットＰ２〜Ｐ４の何れかを選択して差し込む。これにより、発光回路１７を利用して、電気浮き１０の３色発光ダイオード１６の発光色を、隣人の電気浮きの発光色と異なるものに変更すことができる。例えば、隣人の電気浮きの発光色が緑色の場合、３色発光ダイオード１６の発光色を赤色や青色などに変更する。変更後は、上ケース１８と下ケース１９とをＯリング２０を介して螺合し、糸通し孔１９ａに道糸を通して、通常通り夜釣りを行う。
【００２３】
以下、図４〜図６および図８を参照して、具体的にこの３色発光ダイオード１６の所定の発光色への変更（発光）方法を説明する。
３色発光ダイオード１６を赤色に発光させる場合には、第１の電池差し込みポケットＰ１にメイン電池１３を差し込むとともに、赤色識別表示部ｒを選出ガイドとして、第２の電池差し込みポケットＰ２にサブ電池１４を差し込む（図４、図８（ａ））。これにより、赤色発光ダイオード部分Ｒが赤色に発光する。
３色発光ダイオード１６を緑色に発光させる場合には、緑色識別表示部ｇを選出ガイドとして、第１の電池差し込みポケットＰ１にメイン電池１３を差し込むとともに、第３の電池差し込みポケットＰ３にサブ電池１４を差し込む（図５、図８（ｂ））。これにより、緑色発光ダイオード部分Ｇが緑色に発光する。
【００２４】
３色発光ダイオード１６を青色に発光させる場合には、青色識別表示部ｂを選出ガイドとして、第１の電池差し込みポケットＰ１にメイン電池１３を差し込むとともに、第４の電池差し込みポケットＰ４にサブ電池１４を差し込む（図６、図８（ｃ））。これにより、青色発光ダイオード部分Ｂが青色に発光する。
３色発光ダイオード１６をピンク色に発光させる場合には、各識別表示部ｒ，ｇ，ｂの何れも形成されていないものを選出ガイドとして、第１の電池差し込みポケットＰ１にメイン電池１３を差し込むとともに、第２の電池差し込みポケットＰ２および第４の電池差し込みポケットＰ４にそれぞれサブ電池１４を差し込む（図８（ｄ））。これにより、赤色発光ダイオード部分Ｒが赤色に発光するとともに、青色発光ダイオード部分Ｂが青色に発光することで、３色発光ダイオード１６がピンク色に発光する。
【００２５】
３色発光ダイオード１６を黄色に発光させる場合には、第１の電池差し込みポケットＰ１にメイン電池１３を差し込むとともに、第２の電池差し込みポケットＰ２および第３の電池差し込みポケットＰ３にそれぞれサブ電池１４を差し込む（図８（ｅ））。これにより、赤色発光ダイオード部分Ｒが赤色に発光するとともに、緑色発光ダイオード部分Ｇが緑色に発光することで、３色発光ダイオード１６が黄色に発光する。
３色発光ダイオード１６を水色に発光させる場合には、第１の電池差し込みポケットＰ１にメイン電池１３を差し込むとともに、第３の電池差し込みポケットＰ３および第４の電池差し込みポケットＰ４にそれぞれサブ電池１４を差し込む（図８（ｆ））。これにより、緑色発光ダイオード部分Ｇが緑色に発光するとともに、青色発光ダイオード部分Ｂが青色に発光することで、３色発光ダイオード１６が水色に発光する。
【００２６】
このように、第１の電池差し込みポケットＰ１にメイン電池１３を差し込み、さらに第２〜第４の電池差し込みポケットＰ２〜Ｐ４のうち、少なくとも１つにサブ電池１４を差し込むように構成したため、発光回路１７を使用し、３色発光ダイオード１６を赤色、緑色、青色、もしくはこれらの三原色を組み合わせた任意の色に発光させることができる。
その結果、夜釣りにおいて、隣人の電気浮きの発光色と異なる色に３色発光ダイオード１６の発光色を変更し、真夜中の釣場でも、一見して自他の電気浮きを判別することが可能となる。これにより、自他の電気浮きの見分けがつかず、せっかくアタリがあっても、それが隣人の浮きであると勘違いし、魚を釣り上げるタイミングを逃すことを原因とした釣果の低下を防止することができる。
【００２７】
特に、３色発光ダイオード１６を所望の色に発光させるときには、まず電池保持部１５の端面を見て、色彩による識別表示がない第１の電池差し込みポケットＰ１に、ピン型リチウム電池のメイン電池１３を差し込むとともに、筐体２１の下端面に赤色識別表示部ｒ、緑色識別表示部ｇ、青色識別表示部ｂを色選出の目安にして第２〜第４の電池差し込みポケットＰ２〜Ｐ４に、ピン型リチウム電池であるサブ電池１４を差し込む。このように構成したため、電池保持部１５の端面を一見しただけで、３色発光ダイオード１６を所望の色に発光させるときに必要な、第１〜第４の電池差し込みポケットＰ２〜Ｐ４を見分けることができる。
【産業上の利用可能性】
【００２８】
この発明は、川や海などでの夜釣りにおいて、隣人の電気浮きとの見間違いを原因とした釣果の低下を防止可能な技術として有用である。
【符号の説明】
【００２９】
１０  電気浮き、
１１  発光体カバー部、
１２  防水ケーシング、
１３  メイン電池、
１４  サブ電池、
１５  電池保持部、
１６  ３色発光ダイオード、
１７  発光回路、
ｒ  赤色識別表示部、
ｇ  緑色識別表示部、
ｂ  青色識別表示部、
Ｐ１  第１の電池差し込みポケット、
Ｐ２  第２の電池差し込みポケット、
Ｐ３  第３の電池差し込みポケット、
Ｐ４  第４の電池差し込みポケット。
【図１】
2014079190.tif 000003
【図２】
2014079190.tif 000004
【図３】
2014079190.tif 000005
【図４】
2014079190.tif 000006
【図５】
2014079190.tif 000007
【図６】
2014079190.tif 000008
【図７】
2014079190.tif 000009
【図８】
2014079190.tif 000010